(57)【特許請求の範囲】
【請求項１】
開き戸であるドア側に取り付けられるアーム部材(1)と、このドアに対する固定側に取り付けられる受具(2)とから成り、アーム部材(1)には、ドアの内面に対し起倒するアーム(13)が備えられ、受具(2)には、固定側から突出する受軸(23)が備えられ、アーム(13)には、ドアを閉じた状態で受軸(23)の頭部が挿脱可能な挿脱穴(14)と、ドアの開閉に伴い、受軸(23)が係合しつつ相対的にスライドするスライド穴(15)とが基端側から先端側へ順次連通して形成されたドアガードにおいて、
前記アーム部材(1)には、アーム(13)と同一の回転軸(12)を中心として互いに独立に回動し、その回動に伴い、アーム(13)に対する引出位置と押込位置とに切り替えられるレバー状のロックスイッチ(16)が備えられ、ロックスイッチ(16)は、先端側にフック部(17)を有し、フック部(17)には折返方向の傾斜面(18)が形成され、アーム(13)の基部寄りの外側面には突当面(19)が形成され、
前記受具(2)には、受軸(23)の頭部の基端側にテーパー状の傾斜面(24)が形成されると共に、傾斜面(24)より基端側にアーム(13)の回動に伴う突当面(19)の旋回軌跡上に位置する受止面(25)が形成され、
ドアが閉止された状態でアーム(13)を起立させ、ロックスイッチ(16)を押込位置としてドアを開こうとすると、ロックスイッチ(16)のフック部(17)と受軸(23)の頭部の傾斜面(18,24)同士が当接して摺動し、これに伴い、アーム(13)がロックスイッチ(16)に押され起立位置を超えて倒れる方向へ回動し、アーム(13)の突当面(19)が受軸(23)の受止面(25)に当接して、ドアの開きが阻止されるロック状態となり、
ロックスイッチ(16)を引出位置とすると、ロックスイッチ(16)が受軸(23)に干渉することなく、アーム(13)の起倒に応じて、ドアが一定範囲の開度で開閉可能な用心状態又は自由に開閉可能な状態となることを特徴とするロック機能付きドアガード。
【発明の詳細な説明】
【技術分野】
【０００１】
この発明は、ドアの開度を一定範囲に制限して不審者の侵入を阻止するドアガードに、補助的戸締りが可能なロック機能を付加したものに関する。
【背景技術】
【０００２】
一般に、ドアガードは、開閉するドア側に取り付けられるアーム部材と、このドアに対する固定側に取り付けられる受具とから成り、アーム部材には起倒自在のアームが備えられ、受具には固定側から突出する受軸が備えられている。
【０００３】
そして、ドアが閉止された状態でアームを起立させ、受軸をアームの挿脱穴に挿入し、ドアを開こうとすると、受軸の頭部がスライド穴に係合しつつ、受軸がスライド穴に沿って相対的にスライドし、スライド穴の閉塞端に当接してドアの開度が一定範囲に制限される用心状態となる。また、アームがドアの内面に沿って倒伏し、アームと受軸とが係合していない状態では、ドアは自由に開閉可能な状態となる。
【０００４】
また、下記特許文献１には、ドアを一定開度に保持して採風効果を得る目的と、シリンダ錠等の主錠を補完する目的のため、図７に示すように、アーム部材５１と受具５２とから成り、これらにアーム５３及び受軸５４をそれぞれ備えたドアガードにおいて、アーム部材５１にアーム５３と同一の回転軸５５を中心として互いに独立に回動する板状の開閉規制部材５６が備えられ、開閉規制部材５６の先端縁に係合凹部５７が、中間部及び基端部に係合穴５８，５９がそれぞれ形成されたものが記載されている。
【０００５】
このドアガードでは、図７（ａ）に示すように、用心状態において、開閉規制部材５６を起立させてアーム５３に重ね、ドアを半開きにして開閉規制部材５６の先端の係合凹部５７又は中間部の係合穴５８に受軸５４を係合させると、ドアが一定開度に保持されて採風効果を得ることができる。
【０００６】
また、図７（ｂ）に示すように、ドアを閉じた状態で、開閉規制部材５６の基端部の係合穴５９に受軸５４を係合させると、屋外側から侵入しようとする者がドアを引っ張っても、ドアを開くことができないロック状態となる。
【０００７】
また、図７（ｃ）に示すように、開閉規制部材５６をドアの内面に沿うように倒伏させておくと、開閉規制部材５６が受軸５４に干渉することなく、通常のドアガードと同様、アーム５３の起倒に応じて、ドアが一定範囲の開度で開閉可能な用心状態又は自由に開閉可能な状態となる。
【先行技術文献】
【特許文献】
【０００８】
【特許文献１】特開２００６−１６１３６０号公報
【発明の概要】
【発明が解決しようとする課題】
【０００９】
しかしながら、上記特許文献１に記載されたようなロック機能付きのドアガードでは、ロック状態において、屋内に侵入しようとする者がドアを無理に引っ張って開こうとした場合、開閉規制部材５６に大きな力が作用するので、開閉規制部材５６を強度の高い金属製としておかなければ、簡単に破壊されて補助錠の機能を果たせなくなる恐れがあり、製造にコストがかかるという問題がある。
【００１０】
そこで、この発明は、コストを抑制しつつ、有効な補助的戸締りが可能なロック機能を有するドアガードを提供しようとするものである。
【課題を解決するための手段】
【００１１】
上記のような課題を解決するため、この発明は、開き戸であるドア側に取り付けられるアーム部材と、このドアに対する固定側に取り付けられる受具とから成り、アーム部材には、ドアの内面に対し起倒するアームが備えられ、受具には、固定側から突出する受軸が備えられ、アームには、ドアを閉じた状態で受軸の頭部が挿脱可能な挿脱穴と、ドアの開閉に伴い、受軸が係合しつつ相対的にスライドするスライド穴とが基端側から先端側へ順次連通して形成されたドアガードにおいて、次のような構成としたのである。
【００１２】
すなわち、前記アーム部材には、アームと同一の回転軸を中心として互いに独立に回動し、その回動に伴い、アームに対する引出位置と押込位置とに切り替えられるレバー状のロックスイッチが備えられ、ロックスイッチは、先端側にフック部を有し、フック部には折返方向の傾斜面が形成され、アームの基部寄りの外側面には受軸へ向けて突当面が形成され、前記受具には、受軸の頭部の基端側にテーパー状の傾斜面が形成されると共に、傾斜面より基端側にアームの回動に伴う突当面の旋回軌跡上に位置する受止面が形成されたものとしたのである。
【００１３】
そして、ドアが閉止された状態でアームを起立させ、ロックスイッチを押込位置としてドアを開こうとすると、ロックスイッチのフック部の傾斜面が受軸の頭部の傾斜面に当接し、この傾斜面同士の摺動に伴い、アームがロックスイッチに押され起立位置を超えて倒れる方向へ回動し、アームの突当面が受軸の受止面に当接して、ドアの開きが阻止されるロック状態となり、ロックスイッチを引出位置とすると、ロックスイッチが受軸に干渉することなく、アームの起倒に応じて、ドアが一定範囲の開度で開閉可能な用心状態又は自由に開閉可能な状態となるようにしたのである。
【発明の効果】
【００１４】
この発明に係るロック機能付きドアガードでは、ドアが閉止された状態でアームを起立させ、ロックスイッチを押込位置としたロック状態において、屋内に侵入しようとする者がドアを無理に引っ張って開こうとしても、ロックスイッチには、ドアを開こうとする引張力が作用しないので、比較的強度の低い安価な樹脂を材料に使用することができ、製造コストを抑制しつつ、保安性を確保することができる。
【図面の簡単な説明】
【００１５】
【図１】この発明の実施形態に係るロック機能付きドアガードを片開き形式のドアに取り付けて通常の用心状態で使用する場合の平面図
【図２】同上のロック機能付きドアガードを両開き形式のドアに取り付けて通常の用心状態で使用する場合の平面図
【図３】同上の片開き形式及び両開き形式に兼用されるアーム部材のアーム倒伏状態を示す（ａ）平面図、（ｂ）正面図
【図４】同上の片開きドア用受具の（ａ）平面図、（ｂ）受軸が突出・退入する動作を示す正面図
【図５】同上の両開きドア用受具の（ａ）平面図、（ｂ）受軸が突出・退入する動作を示す正面図
【図６】（ａ）〜（ｆ）同上の片開きドアにおけるドアガードのロック状態への遷移過程を順次示す概略平面図
【図７】特許文献１に記載されたドアガードの（ａ）採風状態、（ｂ）ロック状態、（ｃ）通常の用心状態をそれぞれ示す斜視図
【発明を実施するための形態】
【００１６】
以下、この発明の実施形態を添付図面に基づいて説明する。
【００１７】
このドアガードは、図１に示す片開き形式の場合、開閉するドアＤに取り付けられるアーム部材１と、建物に固定されたドア枠Ｆに取り付けられる受具２とから構成される。また、図２に示す両開き形式の場合、ドアＤ１，Ｄ２のうち、通常開閉するドアＤ１に取り付けられるアーム部材１と、通常閉じた状態に固定しておくドアＤ２に取り付けられる受具２とから構成される。
【００１８】
アーム部材１は、片開き及び両開きの両形式に共通のものが使用され、ドアＤ（Ｄ１）の内面に固定される台座１１に、垂直方向の回転軸１２を介してアーム１３を組み付け、アーム１３が水平面内でドアＤ（Ｄ１）の内面に対し起倒自在となるようにしたものとされている。
【００１９】
アーム１３は、図３に示すように、側面視Ｕ字状であり、その開放端である基端側には挿脱穴１４が形成され、挿脱穴１４から閉塞端である先端側へかけてスライド穴１５が連通して形成されている。挿脱穴１４は、後述のように、受軸２３の頭部が挿脱可能な大きさとされ、スライド穴１５は、受軸２３の頭部が係合する上下幅とされている。
【００２０】
また、アーム部材１には、アーム１３と同一の回転軸１２を中心として、互いに独立して水平面内で回動し、その回動に伴い、アーム１３の基部に対する引出位置と押込位置とに切り替えられるレバー状のロックスイッチ１６が備えられている。
【００２１】
ロックスイッチ１６は、先端側にフック部１７を有し、フック部１７には、折返方向の傾斜面１８が形成されている。また、アーム１３の基部寄りの外側面には、爪状の突起が形成され、この突起の挿脱穴１４に臨む面が突当面１９とされている。
【００２２】
一方、受具２は、片開き形式と両開き形式とで異なるものが使用され、図４及び図５にそれぞれ示すように、ドア枠Ｆ（ドアＤ２）に固定される受座２１に、回転軸２２を介して受軸２３を回動自在に組み付けたものとされている。これらの受具２は、受座２１の形状が異なり、図４に示す片開き用の受座２１は、ドア枠Ｆへの固定面から真っ直ぐ延びているのに対し、図５に示す両開き用の受座２１は、ドアＤ２への固定面から９０°屈曲するように延びている。
【００２３】
そして、それぞれの受具２において、受軸２３には、主軸部分よりも大径となった頭部の基端側にテーパー状の傾斜面２４が形成され、主軸部分の基端側の屈曲した盛上部に受止面２５が形成されている。受止面２５は、ドアガードの施工後の状態において、アーム１３の回動に伴う突当面１９の旋回軌跡上に位置するものとされる(図６参照)。
【００２４】
また、いずれの受具２においても、図４及び図５に示すように、受軸２３は、回転軸２２を中心とする回動に伴い、受座２１から水平に突出した突出位置と、垂直に起立した退入位置とに切り替えられるようになっている。
【００２５】
上記のようなドアガードでは、図１及び図２にそれぞれ示すように、受具２の受軸２３を引出位置とし、ドアＤ（Ｄ１）が閉止された状態で、アーム部材１のアーム１３を起立させ、ロックスイッチ１６を引出位置として、受軸２３をアーム１３の挿脱穴１４に挿入すると、ドアＤ（Ｄ１）を開こうとしたとき、受軸２３がスライド穴１５に係合しつつ、その閉塞端まで相対的にスライドし、ドアＤ（Ｄ１）の開度が一定範囲に制限される用心状態となり、不審者の屋内への侵入を防止できる。
【００２６】
また、用心機能を使用しない場合には、ドアＤ（Ｄ１）が閉止された状態で、アーム１３をドアＤ（Ｄ１）の内面に沿って倒伏させ、挿脱穴１４から受軸２３を離脱させて、アーム１３と受軸２３との係合が解除された状態とし、ドアＤ（Ｄ１）を自由に開閉できるようにする。このとき、受軸２３を退入位置にはね上げておくと、ドアＤ（Ｄ１）を開けて出入りする際、受軸２３に衣服が引っ掛かったりすることがない。
【００２７】
また、例えば、片開き形式の場合、ロックスイッチ１６が引出位置とされた通常の用心状態から（図６（ａ））、ロックスイッチ１６を押込位置としておくと（図６（ｂ））、屋内に侵入しようとする者がドアを引っ張って開こうとしたとき、ロックスイッチ１６のフック部１７と受軸２３の頭部の傾斜面１８，２４同士が当接する（図６（ｃ））。
【００２８】
そして、ドアがさらに開く方向へ引っ張られると、ロックスイッチ１６のフック部１７と受軸２３の頭部の傾斜面１８，２４同士が摺動して、アーム１３がロックスイッチ１６に押され起立位置を超えて倒れる方向へ回動し（図６（ｄ）、（ｅ））、アーム１３の突当面１９が受軸２３の受止面２５に当接して（図６（ｆ））、ドアＤが殆ど開かないロック状態となる。
【００２９】
このロック状態では、ドアＤとドア枠Ｆの間に手や器具を差し込んでアーム１３を倒すことができず、屋内側から簡易的に戸締りされた状態となり、アーム１３と受軸２３との係合による用心機能と併せて、在宅時の保安性を高めることができる。
【００３０】
そして、ロック状態でドアＤが開く方向へ強く引っ張られても、ロックスイッチ１６にドアＤを開こうとする引張力が作用しないので、ロックスイッチ１６の材料として比較的強度の低い安価な樹脂を使用することができ、製造コストを抑制しつつ、保安性を確保することができる。
【００３１】
なお、この例では片開き形式の場合について例示したが、図２に示す両開き形式の場合においても、用心状態でロックスイッチ１６を押込位置とすると、ドアＤ１が殆ど開かないロック状態となり、ドアＤ１とドアＤ２の間に手や器具を差し込んでアーム１３を倒すことができなくなるので、在宅時の保安性を高めることができる。そして、ロックスイッチ１６の材料として比較的強度の低い安価な樹脂を使用することができ、製造コストを抑制しつつ、保安性を確保することができる。
【符号の説明】
【００３２】
１  アーム部材
２  受具
１１  台座
１２  回転軸
１３  アーム
１４  挿脱穴
１５  スライド穴
１６  ロックスイッチ
１７  フック部
１８  傾斜面
１９  突当面
２１  受座
２２  回転軸
２３  受軸
２４  傾斜面
２５  受止面
Ｄ，Ｄ１，Ｄ２  ドア
Ｆ  ドア枠
【図１】
0006577340.tif 000002
【図２】
0006577340.tif 000003
【図３】
0006577340.tif 000004
【図４】
0006577340.tif 000005
【図５】
0006577340.tif 000006
【図６】
0006577340.tif 000007
【図７】
0006577340.tif 000008